(57)【要約】【課題】現像剤担持体における摩擦帯電の弊害を抑制しつつ、像担持体の回転状態で現像剤担持体を停止させて、二成分現像剤の劣化を抑制できる画像形成装置を提供する。【解決手段】ブラックの画像形成部のみを用いて画像形成を行うブラック単色モードでは、感光ドラム１１Ｙを回転させた状態で、イエローの画像形成部Ｐ１の現像剤担持体１２Ｙを停止させて二成分現像剤の劣化を抑制する。このとき、現像剤担持体１２Ｙを接地電位から切り離すことによって、現像剤担持体１２Ｙ自体の電位を摩擦帯電の電位まで上昇させて、摩擦帯電の電荷が接地電位に逃げないようにする。これにより、現像剤担持体１２Ｙにおけるトナーの移動が停止して、トナーが現像剤担持体１２Ｙの表面に凝集する現象が回避される。【選択図】図２
2009151096.tif 000002
【特許請求の範囲】
【請求項１】
静電像を担持する像担持体と、
二成分現像剤を担持して回転する現像剤担持体を有して前記現像剤担持体に担持された二成分現像剤を前記像担持体に摺擦させる現像装置と、
現像電圧を前記現像剤担持体に印加して前記静電像をトナー像に現像させる電源手段と、を備えた画像形成装置において、
前記像担持体が回転して、前記現像電圧が印加されない前記現像剤担持体が停止した状態で前記現像装置を待機させる制御手段と、
前記像担持体が回転して前記現像剤担持体が停止しているときに、前記現像剤担持体から接地電位に流れる電流を制限する電流制限手段と、を備えたことを特徴とする画像形成装置。
【請求項２】
異なる現像色の前記現像装置をそれぞれ付設した複数の前記像担持体が当接して回転するトナー像搬送体を備え、
１つの前記像担持体を用いて画像形成する単色モードと複数の前記像担持体を用いて画像形成する複数色モードとを有し、
前記制御手段は、前記単色モードの画像形成中、画像形成に用いない前記像担持体に付設された前記現像剤担持体を停止させることを特徴とする請求項１記載の画像形成装置。
【請求項３】
静電像を担持する像担持体と、
二成分現像剤を担持して回転する現像剤担持体を有して前記現像剤担持体に担持された二成分現像剤を前記像担持体に摺擦させる現像装置と、
現像電圧を前記現像剤担持体に印加して前記静電像をトナー像に現像させる電源手段と、を備えた画像形成装置において、
前記像担持体及び前記現像剤担持体の回転が停止した状態から、前記像担持体を回転させた後に前記現像剤担持体を回転させる制御手段と、
前記像担持体が回転して前記現像剤担持体が停止しているときに、前記現像剤担持体から接地電位に流れる電流を制限する電流制限手段と、を備えたことを特徴とする画像形成装置。
【請求項４】
静電像を担持する像担持体と、
二成分現像剤を担持して回転する現像剤担持体を有して前記現像剤担持体に担持された二成分現像剤を前記像担持体に摺擦させる現像装置と、
現像電圧を前記現像剤担持体に印加して前記静電像をトナー像に現像させる電源手段と、を備えた画像形成装置において、
前記像担持体及び前記現像剤担持体が回転している状態から、前記現像剤担持体を停止させた後に前記像担持体を停止させる制御手段と、
前記像担持体が回転して前記現像剤担持体が停止しているときに、前記現像剤担持体から接地電位に流れる電流を制限する電流制限手段と、を備えたことを特徴とする画像形成装置。
【請求項５】
前記制御手段は、画像形成前に前記現像剤担持体を回転させる回転数が１回転以下であることを特徴とする請求項１乃至４いずれか１項記載の画像形成装置。
【請求項６】
前記電流制限手段は、接地電位から絶縁された前記現像剤担持体に前記電源手段を接続するスイッチング素子であることを特徴とする請求項１乃至５いずれか１項記載の画像形成装置。
【請求項７】
前記電源手段は、定電流制御された直流電圧を出力して接地電位から絶縁された前記現像剤担持体に印加する定電流回路を含み、
前記電流制限手段は、前記像担持体が回転して前記現像剤担持体が停止しているときに、前記定電流回路の定電流を０Ａに設定することを特徴とする請求項１乃至５いずれか１項記載の画像形成装置。
【発明の詳細な説明】
【技術分野】
【０００１】
本発明は、回転する現像剤担持体に担持させた二成分現像剤を像担持体に摺擦させる画像形成装置、詳しくは像担持体の回転状態でも前記現像剤担持体を停止して二成分現像剤の劣化を遅らせる制御に関する。
【背景技術】
【０００２】
記録材搬送ベルト、中間転写ベルト等のトナー像搬送体を用いて複数色モードと単色モードの画像形成を行う画像形成装置が実用化されている。
【０００３】
また、帯電させた二成分現像剤を回転する現像剤担持体に穂立ち状態で担持させて、二成分現像剤の穂先を像担持体に摺擦させる現像装置を備える画像形成装置は、広く用いられている。
【０００４】
現像装置は、磁性キャリアと非磁性トナーとを含む二成分現像剤を現像容器内で攪拌して帯電させており、攪拌を続けると攪拌を続けただけ二成分現像剤が劣化して現像性能が低下する。また、現像剤担持体に二成分現像剤を担持させて層厚規制を行う際にも二成分現像剤が摩擦により劣化して現像性能が低下する。
【０００５】
そこで、単色モード等に起因して画像形成に関与しない現像装置がある場合、像担持体が回転している間でも積極的に現像剤担持体の回転と二成分現像剤の攪拌とを停止して、現像装置を待機状態とすることが提案された。
【０００６】
特許文献１には、現像電圧を印加した状態で現像剤担持体を停止させると、現像剤担持体の円筒面の像担持体に対向する部分に筋状のトナー凝集が形成されることが報告されている。そして、現像剤担持体の停止状態では、現像電圧と反対極性の直流電圧を印加することによって、筋状のトナー凝集の形成を阻止できることが記載されている。
【０００７】
【特許文献１】特開平９−１０６１５１号公報
【発明の開示】
【発明が解決しようとする課題】
【０００８】
像担持体が回転している状態で現像剤担持体を停止させると、現像剤担持体の円筒面の像担持体に対向した部分に筋状のトナー凝集が形成されることが判明した。
【０００９】
そして、筋状のトナー凝集の解消が不十分なまま待機状態を解除して画像形成を行うと、トナー凝集によって過剰に現像された高濃度の帯が画像に形成されることが判明した。
【００１０】
発明者の検討によると、現像剤担持体の円筒面の像担持体に対向した部分に形成される筋状のトナー凝集は、現像電圧とは無関係であって、穂立ち状態の磁性キャリアと像担持体との摩擦帯電に伴う電荷移動の結果であった。像担持体に摺擦して摩擦帯電した磁性キャリアのマイナス電荷は、トナーが穂立ち状態の磁性キャリアの根本へ移動することによって現像剤担持体に受け渡される（図４参照）。現像剤担持体に回収されたマイナス電荷は、停止した現像電圧の電源回路を通じて接地電位へ逃げていた。
【００１１】
そこで、特許文献１の方法を参考にして、磁性キャリアの帯電を打ち消して電荷を反対方向へ移動させるような電圧を現像電圧の電源回路から出力させる方法が検討された。
【００１２】
しかし、電荷の移動を反転させるような電圧を出力させると、磁気ブラシに沿ってトナーが逆方向に移動して像担持体に移動して、像担持体の周辺を汚してしまう。
【００１３】
本発明は、現像剤担持体における摩擦帯電の弊害を抑制しつつ、像担持体の回転状態で現像剤担持体を停止させて、二成分現像剤の劣化を抑制できる画像形成装置を提供することを目的としている。
【課題を解決するための手段】
【００１４】
本発明の画像形成装置は、静電像を担持する像担持体と、二成分現像剤を担持して回転する現像剤担持体を有して前記現像剤担持体に担持された二成分現像剤を前記像担持体に摺擦させる現像装置と、現像電圧を前記現像剤担持体に印加して前記静電像をトナー像に現像させる電源手段とを備えたものである。そして、前記像担持体が回転して、前記現像電圧が印加されない前記現像剤担持体が停止した状態で前記現像装置を待機させる制御手段と、前記像担持体が回転して前記現像剤担持体が停止しているときに、前記現像剤担持体から接地電位に流れる電流を制限する電流制限手段とを備える。
【発明の効果】
【００１５】
本発明の画像形成装置は、現像剤担持体と接地電位との間に流れる電流を制限することで、現像剤担持体に担持された二成分現像剤中のトナー移動を制限する。環境湿度や二成分現像剤に応じて摩擦帯電の結果が変化しても、現像剤担持体に担持された二成分現像剤におけるトナー移動を常に一定して制限できる。
【００１６】
従って、現像剤担持体における摩擦帯電の弊害を抑制しつつ、像担持体の回転状態で現像剤担持体を停止させて、二成分現像剤の劣化を抑制できる。
【発明を実施するための最良の形態】
【００１７】
以下、本発明のいくつかの実施形態を、図面を参照して詳細に説明する。本発明は、像担持体が回転して現像剤担持体が停止した状態で現像剤担持体と接地電位との間で流れる電流が低く制限される限りにおいて、各実施形態の構成の一部または全部を、その代替的な構成で置き換えた別の実施形態でも実施できる。
【００１８】
従って、タンデム型のみならす、１ドラム型のフルカラー画像形成装置でも実施でき、中間転写方式のみならず、像担持体からの直接転写方式、又は記録材搬送体を用いた直接転写方式でも実施できる。
【００１９】
本実施形態では、トナー像の形成／転写／定着に係る主要部のみを説明するが、本発明は、必要な機器、装備、筐体構造を加えて、プリンタ、各種印刷機、複写機、ＦＡＸ、複合機等、種々の用途で実施できる。
【００２０】
なお、特許文献１に示される画像形成装置に関する一般的な事項については、図示を省略して重複する説明を省略する。説明中、特許請求の範囲で用いた構成名に括弧を付して示した参照記号は、発明の理解を助けるための例示であって、実施形態の部材等に構成を限定する趣旨のものではない。
【００２１】
＜第１実施形態＞
図１は第１実施形態の画像形成装置の構成の説明図、図２は画像形成部の構成の説明図である。
【００２２】
図１に示すように、タンデム型中間転写方式の画像形成装置１００は、給紙部３から給送された記録材Ｐへ、中間転写ベルト４に担持されたトナー像を二次転写する。トナー像を二次転写された記録材Ｐは、定着装置５へ受け渡され、定着装置５の定着ニップで挟持搬送されて加熱加圧を受けることにより、表面にトナー像を定着される。
【００２３】
中間転写体の一例である中間転写ベルト４は、駆動ローラ４ａ、対向ローラ４ｂ、テンションローラ４ｃに掛け渡して支持され、中間転写ベルト４の下向き面に画像形成部Ｐ１、Ｐ２、Ｐ３、Ｐ４が配置される。画像形成部Ｐ１、Ｐ２、Ｐ３、Ｐ４は、それぞれイエロー、マゼンタ、シアン、ブラックのトナー像を形成して中間転写ベルト４に一次転写して重ね合わせる。
【００２４】
画像形成部Ｐ１、Ｐ２、Ｐ３、Ｐ４は、それぞれが像担持体を付設した現像色の異なる複数のプロセスカートリッジ（現像手段）である。
【００２５】
画像形成部Ｐ１、Ｐ２、Ｐ３、Ｐ４は、収納するトナーの色がイエロー、マゼンタ、シアン、ブラックと異なる以外は概ね同様に構成されている。従って、以下では画像形成部Ｐ１について説明し、画像形成部Ｐ２、Ｐ３、Ｐ４については説明中の符号末尾の記号ＹをＭ、Ｃ、Ｂと読み替えて理解されるものとする。
【００２６】
図２に示すように、画像形成部Ｐ１は、感光ドラム１１Ｙに形成したイエロートナー像を一次転写部ＴＹにて中間転写ベルト４に一次転写する。
【００２７】
感光ドラム１１Ｙの周囲には、露光装置６、現像剤担持体１２Ｙ、帯電ローラ１６Ｙ、クリーニングブレード１７Ｙ、一次転写ローラ７Ｙが配置される。
【００２８】
感光ドラム１１Ｙは、直径３０ｍｍの金属管に帯電極性が負極性の有機感光体を塗布して構成される。金属管側から順に下塗り、電荷発生層、電荷輸送層が形成されており、表層である電荷輸送層は、電荷輸送材料としてのアミン化合物とバインダーとしてのポリアリレート樹脂を混合したものである。この感光ドラム１１Ｙは、所定のプロセススピード（周速度：１５０ｍｍ／秒）で矢印Ｒ１方向に回転する。
【００２９】
帯電ローラ１６Ｙは、表面に弾性層を設けた直径１４ｍｍのもので、感光ドラム１１Ｙに従動回転する。
【００３０】
電源Ｄ３は、直流電圧に交流電圧を印加した帯電電圧を帯電ローラ１６Ｙに印加して、感光ドラム１１Ｙの表面を一様な負極性の電位に帯電させる。
【００３１】
露光装置６は、分解色画像を展開した走査線画像データをＯＮ−ＯＦＦ変調したレーザービームＬＢを多面体ミラーで走査し、帯電した感光ドラム１１Ｙの露光部の電位を低下させて画像の静電像を書き込む。
【００３２】
現像剤担持体１２Ｙは、内部の磁石１９Ｙの磁力で現像容器１５Ｙから二成分現像剤を汲み上げて現像部ＴＧへ搬送して静電像を現像する。
【００３３】
現像剤担持体１２Ｙは、直径１６ｍｍのアルミニウム管の表面をブラスト加工により荒らしたもので、固定された５極の磁石１９Ｙの周囲で矢印Ｒ３方向へ周速度２７０ｍｍ／秒で回転する。現像剤担持体１２Ｙは、現像部ＴＧを通過する表面に、二成分現像剤を穂立ち状態で担持させて磁気ブラシを形成し、磁気ブラシの穂先で感光ドラム１１Ｙを摺擦する。
【００３４】
現像容器１５Ｙは、非磁性トナー（以下トナー）と磁性キャリア（以下キャリア）とを混合した二成分現像剤が収納されている。トナーは、ポリエステル樹脂を母剤とした粉砕トナーであり、平均粒径が約７μｍである。キャリアは、フェライトを含んで表面にシリコーンコートを施したものであり、平均粒径が約５０μｍである。磁性キャリアに関しては、特開平８−１５９２０号公報が詳しい。
【００３５】
搬送スクリュー１３Ｙ、攪拌スクリュー１４Ｙは、二成分現像剤を攪拌しつつ紙面と垂直方向に搬送して現像容器１５Ｙ内を循環させる。現像容器１５Ｙ内で攪拌搬送される過程で、トナーとキャリアとが相互に摩擦してそれぞれ負極性と正極性とに帯電する。
【００３６】
搬送スクリュー１３Ｙ、攪拌スクリュー１４Ｙ、及び現像剤担持体１２Ｙは、不図示のギア列によって一体に連結されているので、同時に起動して現像を開始し、同時に停止して現像を待機又は停止する。
【００３７】
現像高圧電源回路ＤＹは、負極性の直流電圧に交流電圧を重畳した現像電圧を出力して現像剤担持体１２Ｙに印加する（図５参照）。これにより、現像剤担持体１２Ｙに穂立ちしたキャリアに付着したトナーが、露光によって現像剤担持体１２Ｙよりも相対的に正極性となった感光ドラム１１Ｙの表面へ移動して、静電像が反転現像される。
【００３８】
一次転写ローラ７Ｙは、中間転写ベルト４を介して感光ドラム１１Ｙに圧接して、中間転写ベルト４と感光ドラム１１Ｙとの間に一次転写部ＴＹを形成する。
【００３９】
電源Ｄ１は、正極性の直流電圧を一次転写ローラ７Ｙに印加して、一次転写部ＴＹを通過する中間転写ベルト４へ感光ドラム１１Ｙに担持されたトナー像を移動させる。
【００４０】
クリーニングブレード１７Ｙは、一次転写部ＴＹを通過して感光ドラム１１Ｙの表面に残った転写残トナーを掻き落とす。
【００４１】
＜制御手段＞
図３は画像形成装置の駆動機構の説明図、図４は現像剤担持体にトナーが付着する現象の説明図である。
【００４２】
図３に示すように、モータＭ１は、中間転写ベルト４と画像形成部Ｐ１、Ｐ２、Ｐ３、Ｐ４の感光ドラム１１Ｙ、１１Ｍ、１１Ｃ、１１Ｋとを駆動する。
【００４３】
モータＭ２は、クラッチＣＫを介して画像形成部Ｐ４の現像剤担持体１２Ｋを駆動し、クラッチＣＹを介して画像形成部Ｐ１、Ｐ２、Ｐ３の現像剤担持体１２Ｙ、１２Ｍ、１２Ｃを駆動する。
【００４４】
制御部２０は、モータＭ１、Ｍ２を制御して、画像形成装置１００を起動、前回転、画像形成、後回転、停止させる。
【００４５】
制御部２０は、ブラックの画像形成部Ｐ４のみを用いて画像形成を行うブラック単色モードでは、クラッチＣＹを遮断して、現像剤担持体１２Ｙ、１２Ｍ、１２Ｃを停止させる。
【００４６】
図２に示すように、感光ドラム１１Ｙは、帯電開始直後は表面の電位が安定しないため、画像形成直前に回転を開始するべきではなく、少なくとも１回転以上の帯電期間を設けた後に、画像形成を開始する必要がある。また、画像形成終了後、感光ドラム１１Ｙの表面が帯電されたままの状態では、感光層の劣化が進むため、感光ドラム１１Ｙを除電するための後工程も必要である。
【００４７】
従って、二成分現像剤の攪拌劣化を減らすべく現像剤担持体１２Ｙの回転時間を最小限にしようとすれば、感光ドラム１１Ｙが回転して現像剤担持体１２Ｙが停止している時間が増える。
【００４８】
感光ドラム１１Ｙが回転して現像剤担持体１２Ｙが停止していると、現像剤担持体１２Ｙと感光ドラム１１Ｙとが対向する現像部ＴＧで二成分現像剤と感光ドラム１１Ｙとが摩擦して摩擦帯電する。
【００４９】
図２を参照して図４に示すように、第１実施形態で用いた感光ドラム１１Ｙとキャリアとの材料の組み合わせでは、感光ドラム１１Ｙが正に帯電して、キャリアが負に帯電する。
【００５０】
摩擦帯電によって先端のキャリアに電子が溜まって感光ドラム１１Ｙとキャリアと間に電位差が発生すると、キャリアよりも軽くて負に帯電し易いトナーが帯電してキャリアから剥がれる。そして、感光ドラム１１Ｙに接触する磁気ブラシの先端側から現像剤担持体１２Ｙの表面へ向かってトナーが移動して電子を受け渡す。このようにして、現像部ＴＧの現像剤担持体１２Ｙの表面にトナーが紙面と垂直な方向のスジ状に集まってトナー付着が形成される。
【００５１】
そして、現像剤担持体１２Ｙにトナー付着が形成されたまま、次の画像形成を始めると、スジ状に付着していたトナーが感光ドラム１１Ｙに現像されて、画像先端に濃いスジが現れる。
【００５２】
このようなトナー転移現象は、特に、画像形成装置１００でブラック単色モードの画像形成を行ってモノクロ画像を形成する際に大きな問題となる。感光ドラム１１Ｙ、１１Ｍ、１１Ｃが中間転写ベルト４とともに回転し続ける一方で、現像剤担持体１２Ｙ、１２Ｍ、１２Ｃは、二成分現像剤の劣化を抑制するために停止させるからである。
【００５３】
このため、現像剤担持体１２Ｙ、１２Ｍ、１２Ｃに担持された二成分現像剤が長時間に渡って感光ドラム１１Ｙ、１１Ｍ、１１Ｃに摺擦し続けて、強固なトナー凝集を形成してしまう。
【００５４】
このようにして現像剤担持体に形成されたトナー凝集は、実験によると、現像剤担持体１２Ｙを５回転以上に空回転させれば、画像先端のスジが目立たない程度には解消される。現像剤担持体１２Ｙに担持された二成分現像剤が現像容器１５Ｙ内で剥ぎ取られて新しい二成分現像剤に混合されるからである。
【００５５】
しかし、逆に言えば、画像形成前の現像剤担持体１２Ｙの回転を５回転以内、例えば１回転にしようとすると、現像剤担持体１２Ｙ、１２Ｍ、１２Ｃへのトナー付着は避け難い問題となる。現像剤担持体１２Ｙを回転させると回転させただけ現像剤の劣化が早まるし、印刷開始までの待ち時間が延びると画像形成装置１００の使い勝手が悪くなるからである。
【００５６】
また、特許文献１に示されるように、現像剤担持体１２Ｙの回転時と停止時とで現像剤担持体１２Ｙ印加する電圧極性を切り替えれば、トナーを逆に感光ドラム１１Ｙ側へ転移させることができる。現像剤担持体１２Ｙが停止している間は、トナーを感光ドラム１１Ｙへ排出する方向の電場を作って現像剤担持体１２Ｙへのトナー転移を防ぐことができる。
【００５７】
しかし、二成分現像剤の切り替えや湿度変化に対処して、常に適正な電圧を印加し続けることは難しく、現像高圧電源回路Ｄ４の回路構成も複雑になる。過剰な電圧を長時間印加し続けると現像剤担持体１２Ｙに担持されたキャリアまでが感光ドラム１１Ｙへ移転して感光ドラム１１Ｙや中間転写ベルト４の表面に摺擦傷を付けてしまうことも確認された。
【００５８】
＜電流制限手段＞
図３に示すように、制御部２０は、スイッチング素子ＳＹを制御して、感光ドラム１１Ｙが回転して現像剤担持体１２Ｙが停止している期間、現像剤担持体１２Ｙを接地電位から遮断する。
【００５９】
制御部２０は、スイッチング素子ＳＭを制御して、感光ドラム１１Ｍが回転して現像剤担持体１２Ｍが停止している期間、現像剤担持体１２Ｍを接地電位から遮断する。
【００６０】
制御部２０は、スイッチング素子ＳＣを制御して、感光ドラム１１Ｃが回転して現像剤担持体１２Ｃが停止している期間、現像剤担持体１２Ｃを接地電位から遮断する。
【００６１】
制御部２０は、スイッチング素子ＳＫを制御して、感光ドラム１１Ｋが回転して現像剤担持体１２Ｋが停止している期間、現像剤担持体１２Ｋを接地電位から遮断する。
【００６２】
画像形成部Ｐ２、Ｐ３は、画像形成中、クラッチＣＹによって画像形成部Ｐ１と同様に回転を制御されるので、以下では、画像形成部Ｐ１に関して説明して画像形成部Ｐ２、Ｐ３の重複する説明を省略する。
【００６３】
図４に示すように、トナーは電荷をもった粒子であるから、トナーが現像剤担持体１２Ｙから感光ドラム１１Ｙへと移動する現像工程は、電気的には、現像剤担持体１２Ｙと感光ドラム１１Ｙの間に電流が流れるという現象である。
【００６４】
このため、感光ドラム１１Ｙに形成された静電潜像をトナーで現像する時は、現像剤担持体１２Ｙは接地電位から絶縁状態であってはならない。現像剤担持体１２Ｙと感光ドラム１１Ｙとの間は電気的な回路を構成していなければ、必要な電流が流れず、適正な現像がおこらず、白抜けなどの不良画像となってしまう。
【００６５】
これに対して、トナーが現像剤担持体１２Ｙへ移動する現象は、電気的には、現像剤担持体１２Ｙから接地電位へマイナス電荷が流れるというである。
【００６６】
図３に示すように、そこで、制御部２０は、感光ドラム１１Ｙが回転して現像剤担持体１２Ｙが停止している場合は、現像剤担持体１２Ｙを電気的に接地電位から絶縁して、現像剤担持体１２Ｙへのトナー転移を防ぐ。トナーが現像剤担持体１２Ｙに受け渡す電子を接地電位に逃がさなければ、ほぼ瞬時に現像剤担持体１２Ｙの電位がマイナス側へ上昇して、それ以上の電子移動を妨げて、トナー移動を停止させる。
【００６７】
制御部２０は、スイッチング素子（ＳＹ）を制御して、現像剤担持体１２Ｙが接地電位から絶縁された状態と接続された状態とを切り替える。
【００６８】
制御部２０は、感光ドラム１１Ｙの回転開始前に現像剤担持体１２Ｙを接地電位から絶縁し、感光ドラム１１Ｙの回転開始後に現像剤担持体１２Ｙを接地電位に接続された状態へ復帰させる。
【００６９】
＜実施例１＞
図５は実施例１の現像高圧電源回路を模式的に示した説明図である。
【００７０】
実施例１は、スイッチング素子として剤担持体絶縁リレーＳＹを用いて、現像剤担持体１２Ｙを電気的に接地電位から切り離す例である。現像高圧電源回路ＤＹ、ＤＭ、ＤＣ、ＤＫは、各色の画像形成部Ｐ１、Ｐ２、Ｐ３、Ｐ４（現像手段）と対にして４組ある。
【００７１】
図５に示すように、現像高圧電源回路ＤＹは、定電圧制御回路２８、直流高電圧発生部２２、交流波形発生回路２９、交流高電圧発生部２１を含む。
【００７２】
定電圧制御回路２８は、直流高電圧発生部２２が出力する直流電圧が所定値となるように、直流高電圧発生部２２のトランスの一次側に印加する交流電圧をＯＮ／ＯＦＦする。直流高電圧発生部２２は、トランスで昇圧した交流電圧を整流平滑して、現像電圧の直流電圧を発生させる。
【００７３】
交流波形発生回路２９は、一定振幅の交流電圧を発生する。交流高電圧発生部２１は、交流波形発生回路２９の交流電圧を昇圧して、直流高電圧発生部２２が出力する直流電圧に重畳する。
【００７４】
現像高圧電源回路ＤＹが作動していないとき、剤担持体絶縁リレーＳＹが閉じたままでは、直流高電圧発生部２２のトランスを通じて現像剤担持体１２Ｙが接地電位に短絡されてしまう。
【００７５】
制御部２０は、クラッチＣＹを制御して現像剤担持体１２Ｙの回転／停止を切り替え、剤担持体絶縁リレーＳＹを制御して現像剤担持体１２Ｙと接地電位との接続／切り離しを切り替える。制御部２０は、クラッチＣＹと剤担持体絶縁リレーＳＹとを制御して、現像剤担持体１２Ｙに駆動と現像電圧とを同時にかけることができる。
【００７６】
剤担持体絶縁リレーＳＹに要求される性能として、主に回路を開いた場合の耐圧性能があげられる。感光ドラム１１Ｙが回転中に剤担持体絶縁リレーＳＹを開くと、感光ドラム１１Ｙの帯電電位に加え、摩擦帯電による電位上昇が剤担持体絶縁リレーＳＹの接点に印加される。感光ドラム１１Ｙや二成分現像剤の材料によって変化するが、画像形成装置１００を用いた実験では、感光ドラム１１Ｙの帯電電位は最大７５０Ｖであり、摩擦帯電による電位上昇は２００Ｖ〜２５０Ｖ程度であった。
【００７７】
以上から、剤担持体絶縁リレーＳＹは、少なくとも１０００Ｖの電圧に耐える性能が要求される。
【００７８】
スイッチング素子（ＳＹ）は、開閉繰り返しによる耐久性や、大きさ、消費電力、応答速度といった観点から、理想的にはフォトカプラなど半導体素子を用いるのが好ましい。また、剤担持体絶縁リレーＳＹには、現像時に交流高電圧発生部２１が作る交流電流が流れるので、双方向に電流を流せる必要がある。
【００７９】
しかし、１０００Ｖ以上の耐圧を確保して双方向に電流を流せる半導体スイッチング素子は高価であるため、画像形成装置１００では、安価な電磁式リレーを用いた。
【００８０】
＜複数色モード＞
図６はフルカラーモードにおける剤担持体絶縁リレー及びクラッチの制御のタイムチャートである。
【００８１】
図３を参照して図６に示すように、フルカラーモードでは、現像剤担持体１２Ｙ、１２Ｍ、１２Ｃ、１２Ｋを同時に回転させて画像形成を開始し、画像形成の終了後には同時に停止させる。
【００８２】
制御部２０は、前回転と称する画像形成に必要な準備動作を行った後、トナー像を作る画像形成動作を実行し、その終了後、後回転と称する感光ドラム１１Ｙの後処理動作を行う。
【００８３】
前回転において、制御部２０は、最初に剤担持体絶縁リレーＳＹ、ＳＭ、ＳＣ、ＳＫを開き、現像剤担持体１２Ｙ、１２Ｍ、１２Ｃ、１２Ｋを接地電位から絶縁状態にする。
【００８４】
続いて、モータＭ１を起動して感光ドラム１１Ｙ、１２Ｍ、１２Ｃ、１２Ｋ及び中間転写ベルト４の回転を開始させ、感光ドラム１１Ｙ、１２Ｍ、１２Ｃ、１２Ｋの帯電も開始させる。帯電開始直後は、感光ドラム１１Ｙ、１２Ｍ、１２Ｃ、１２Ｋの表面電位が不安定なため、それぞれ１回転以上回転させて電位が安定するのを待つ。ここまでの動作が前回転である。
【００８５】
前回転が完了したら画像形成が開始される。制御部２０は、クラッチＣＫ、ＣＹを締結してモータＭ２を起動させることにより、現像剤担持体１２Ｙ、１２Ｍ、１２Ｃ、１２Ｋの回転を開始させる。
【００８６】
また、同時に、現像高圧電源回路ＤＹ、ＤＭ、ＤＣ、ＤＫを作動させた後に剤担持体絶縁リレーＳＹ、ＳＭ、ＳＣ、ＳＫを閉じる。これにより、現像剤担持体１２Ｙ、１２Ｍ、１２Ｃ、１２Ｋの電位が絶縁状態から現像電圧に立ち上がる。
【００８７】
制御部２０は、現像剤担持体１２Ｙが約１回転して回転が安定したら、露光装置（６：図１）を作動させて、感光ドラム１１Ｙに画像の静電像を書き込ませる。
【００８８】
感光ドラム１１Ｙの静電像に対して、現像剤担持体１２Ｙが搬送する二成分現像剤によって感光ドラム１１Ｙにトナー像が現像され、現像されたトナー像は、中間転写ベルト４へ一次転写される。
【００８９】
各色のトナー像が同様に形成されて、中間転写ベルト４へ一次転写し終わると、現像剤担持体１２Ｙ、１２Ｍ、１２Ｃ、１２Ｋはそれ以上回転させる必要が無い。
【００９０】
制御部２０は、そこで、剤担持体絶縁リレーＳＹ、ＳＭ、ＳＣ、ＳＫを開いた後に現像高圧電源回路ＤＹ、ＤＭ、ＤＣ、ＤＫを停止させる。これにより、現像剤担持体１２Ｙ、１２Ｍ、１２Ｃ、１２Ｋは、接地電位から絶縁した状態へ移行する。制御部２０は、同時に、モータＭ２を停止させて現像剤担持体１２Ｙ、１２Ｍ、１２Ｃ、１２Ｋの回転を停止する。
【００９１】
画像形成が終了したら、後回転を行う。まず、電源Ｄ１を切り、続いて電源Ｄ３を切る。この状態では、感光ドラム１１Ｙ、１１Ｍ、１１Ｃ、１１Ｋの表面にはまだ電荷が残っているので、全面に露光を行いながらしばらく感光ドラム１１Ｙ、１１Ｋを回転させる。そして、制御部２０は、表面電位が０Ｖ近傍になったら、露光を停止し、続いてモータＭ１を停止して感光ドラム１１Ｙ及び中間転写ベルト４の回転を止める。
【００９２】
制御部２０は、感光ドラム１１Ｙ、１１Ｍ、１１Ｃ、１１Ｋが完全に停止した後、剤担持体絶縁リレーＳＹ、ＳＭ、ＳＣ、ＳＫを閉じる。これにより、現像高圧電源回路ＤＹ、ＤＭ、ＤＣ、ＤＫ経由で現像剤担持体１２Ｙ、１２Ｍ、１２Ｃ、１２Ｋが接地電位に接続する。以上で後回転は終了である。
【００９３】
＜単色モード＞
図７はブラック単色モードにおける剤担持体絶縁リレー及びクラッチの制御のタイムチャートである。
【００９４】
図３を参照して図７に示すように、画像形成装置１００では、白黒画像を形成する画像形成中も、中間転写ベルト４との摺擦を回避するために、感光ドラム１１Ｙ、１１Ｍ、１１Ｃ、１１Ｋは４本とも回転する。しかし、イエロー、マゼンタ、シアンの画像形成部Ｐ１、Ｐ２、Ｐ３は作動しないため、現像剤担持体１２Ｙ、１２Ｍ、１２Ｃは回転させないで、画像形成部Ｐ４の現像剤担持体１２Ｋのみ回転させる。
【００９５】
そのため、画像形成部Ｐ４が前回転、画像形成、後回転動作を行っている間中、停止した現像剤担持体１２Ｙ、１２Ｍ、１２Ｃは、感光ドラム１１Ｙ、１２Ｍ、１２Ｃと摩擦帯電し続ける。
【００９６】
制御部２０は、そこで、この間、現像剤担持体１２Ｙ、１２Ｍ、１２Ｃの表面へのトナー転移を防ぐように剤担持体絶縁リレー１２Ｙ、１２Ｍ、１２Ｃを制御する。
【００９７】
具体的には、ブラックの画像形成部Ｐ４は、フルカラーモード時と同様に、前回転、画像形成、後回転の各動作を行う。
【００９８】
制御部２０は、感光ドラム１１Ｋの回転開始直前に剤担持体絶縁リレー１２Ｙ、１２Ｍ、１２Ｃを開く。そのまま剤担持体絶縁リレー１２Ｙ、１２Ｍ、１２Ｃを開いたままにして、現像剤担持体１２Ｙ、１２Ｍ、１２Ｃを接地電位から絶縁した状態を感光ドラム１１Ｋ停止まで維持する。
【００９９】
画像形成部Ｐ１、Ｐ２、Ｐ３については、帯電電圧や転写電圧も印加しない。
【０１００】
＜現像剤担持体の画像形成前の回転数＞
図３に示すように、現像剤担持体１２Ｙの回転開始から露光開始までの時間は、二成分現像剤の寿命を延ばすためには極力短い方が好ましい。しかし、クラッチＣＹを繋いでから現像剤担持体１２Ｙが一定速度で回転するまでにはわずかだが時間がかかる。回転数が安定していない状態で露光をはじめてしまうと、画像先端の濃度が下がって、画像不良が起きる。
【０１０１】
そこで、実施例１では、現像剤担持体１２Ｙが回転開始から１回転で露光を開始するように設定した。モータＭ２の安定度が高い場合などは、回転開始から露光までの時間をより短く１回転以下とすることで、二成分現像剤の寿命をさらに延ばすことが可能となる。
【０１０２】
露光前の現像剤担持体１２Ｙの回転数が現像剤の寿命に与える影響を見積もる。現像剤の寿命に対して、露光前の現像剤担持体１２Ｙの回転数の影響が最も大きくなるのは、記録材１枚ごとに画像形成装置１００を起動、停止して画像形成を行うことを繰り返した場合である。
【０１０３】
画像形成装置１００では、Ａ４記録材１枚分の現像を行うために、直径１６ｍｍの現像剤担持体１２Ｙが８回転する。露光前の１回転と合わせると、現像剤担持体１２Ｙが９回転してＡ４記録材１枚の画像形成を行う。
【０１０４】
仮に、露光前の現像剤担持体１２Ｙの回転数を２回転とすると、Ａ４記録材１枚の画像形成に必要な現像剤担持体１２Ｙの回転数は１０回転になり、実施例１の制御と比べると二成分現像剤の寿命は９／１０に縮んでしまう。
【０１０５】
露光前の現像剤担持体１２Ｙの回転数を５回転に増やせば、現像剤担持体１２Ｙに形成されたトナー凝集の影響を出力画像に目立たない程度に回避できる。しかし、Ａ４記録材１枚の画像形成に必要な現像剤担持体１２Ｙの回転数は１３回転になり、実施例１の制御と比べると二成分現像剤の寿命は９／１３に縮んでしまう。このため、回転数を増やす方法は、発明者が目標とした画像形成部ＰＹの寿命を達成できなかった。
【０１０６】
なお、画像形成装置１００では、クラッチＣＹを用いて現像剤担持体１２Ｙの回転制御を行っているが、クラッチＣＹを介さずにモータＭ２と現像剤担持体１２Ｙを直結してモータＭ２のＯＮ／ＯＦＦで回転制御を行ってもよい。この場合、回転開始信号に対して、現像剤担持体１２Ｙの回転遅延が延びるので、露光前の現像剤担持体１２Ｙの回転数を回転遅延に対応して増すことが望ましい。
【０１０７】
露光開始前に現像剤担持体１２Ｙを回転させる回数は、以上のような二成分現像剤の寿命見積もりと、現像剤担持体１２Ｙの回転安定性で決めればよい。
【０１０８】
＜接地電位からの分離タイミング＞
実施例１では、クラッチＣＹと剤担持体絶縁リレーＳＹの切り替えを同時に制御している。発明者の実験では、そのような制御でトナーが現像剤担持体１２Ｙへ転移する現象を十分に防ぐことができた。
【０１０９】
しかし、より理想的には、クラッチＣＹへ回転開始信号を出力した後、やや遅れて剤担持体絶縁リレーＳＹを閉じるように制御するのが好ましい。現像剤担持体１２Ｙの回転開始時は、クラッチＣＹを繋ぐ信号を出してから実際に現像剤担持体１２Ｙが回転し始めるまで、わずかながら遅延時間があるからである。遅延時間を見越して、クラッチＣＹを繋ぐ瞬間ではなく、実際に現像剤担持体１２Ｙが回転を始める瞬間に剤担持体絶縁リレーＳＹを切り替える方式が好ましい。
【０１１０】
剤担持体絶縁リレーＳＹを閉じてから現像剤担持体１２Ｙの回転を始める逆の順序は、実施例１ほどの効果を達成できないことが確認されている。
【０１１１】
発明者の実験では、剤担持体絶縁リレーＳＹを閉じてから現像剤担持体１２Ｙの回転開始までの遅延時間が５０ｍ秒の場合、現像剤担持体１２Ｙへのトナー転移現象は観察できなかった。しかし、遅延時間が１００ｍ秒になると現像剤担持体１２Ｙへ薄くスジ状にトナーが付着していることが観察された。さらに遅延時間が３００ｍ秒になると、現像剤担持体１２Ｙへより濃くトナーが付着する結果となり、それ以上は、遅延時間を延ばしても遅延時間が３００ｍの場合と大差がなかった。
【０１１２】
従って、感光ドラム１１Ｙの回転状態で現像剤担持体１２Ｙが接地電位へ５０ｍ秒以上接続されると現像剤担持体１２Ｙの表面へのトナー転移現象を防げないことが推定される。感光ドラム１１Ｙの回転遅延が５０ｍ秒以上となる場合には、クラッチＣＹに締結信号を出力して、少し遅れて剤担持体絶縁リレーＳＹに閉じ信号を出力する手順が望ましい。
【０１１３】
現像剤担持体１２Ｙを停止する場合は、回転開始時のような機械的な遅延による問題は起こりにくい。しかし、少なくとも、クラッチＣＹを切った後に剤担持体絶縁リレーＳＹを開く順序は望ましくない。
【０１１４】
以上のように、画像形成装置１００では、現像剤担持体１２Ｙの回転と剤担持体絶縁リレーＳＹの切り替えとを同期して制御することで、現像剤担持体１２Ｙの表面へトナーが転移する現象を抑える。そして、現像剤担持体１２Ｙの回転時間を必要最小限にして、二成分現像剤の寿命を延ばす。
【０１１５】
＜実施例２＞
図８は実施例２における駆動機構の説明図、図９は実施例２のフルカラーモードにおける剤担持体リレー及びクラッチの制御のタイムチャートである。
【０１１６】
図８に示すように、実施例２では、現像剤担持体１２Ｙ、１２Ｍ、１２Ｃ、１２Ｋは、個別のクラッチＣＹ、ＣＭ、ＣＣ、ＣＫを制御して、個別に回転開始／停止を制御できる。
【０１１７】
制御部２０は、現像剤担持体１２Ｙ、１２Ｍ、１２Ｃ、１２Ｋの回転開始／停止を、それぞれ感光ドラム１１Ｙ、１１Ｍ、１１Ｃ、１１Ｋの露光タイミングに合わせて制御する。
【０１１８】
従って、共通のクラッチＣＹによって現像剤担持体１２Ｙ、１２Ｍ、１２Ｃが一括制御される実施例１よりも、現像剤担持体１２Ｙ、１２Ｍ、１２Ｃの回転時間をそれぞれ減らして二成分現像剤の寿命を延ばすことができる。
【０１１９】
図８を参照して図９に示すように、画像形成装置１００では、感光ドラム１１Ｙと中間転写ベルト４とは常に当接しており、感光ドラム１１Ｙ、１１Ｍ、１１Ｃ、１１Ｋを個別に回転したり停止したりできない。従って、現像剤担持体１２Ｙ、１２Ｍ、１２Ｃ、１２Ｋは、画像形成部Ｐ１、Ｐ２、Ｐ３、Ｐ４における露光開始前及び露光終了後に感光ドラム１１Ｙとの間で摩擦帯電を発生する。
【０１２０】
イエロー、マゼンタ、シアン、ブラックのトナー像は、中間転写ベルト４に一次転写して重ね合わさせることにより、フルカラー画像のトナー像となる。従って、画像形成部Ｐ１、Ｐ２、Ｐ３、Ｐ４は、中間転写ベルト４上で各色のトナー像が重なるように、相互の距離に相当する時間だけタイミングをずらして露光を開始する。
【０１２１】
画像形成部Ｐ１、Ｐ２、Ｐ３、Ｐ４は、７５ｍｍ間隔で並んでおり、中間転写ベルト４は、回転速度が１５０ｍｍ／秒である。
【０１２２】
従って、画像形成部Ｐ１が露光を開始してから、０．５秒後に画像形成部Ｐ２が露光を開始し、１．０秒後に画像形成部Ｐ３が露光を開始し、１．５秒後に画像形成部Ｐ４が露光を開始する。
【０１２３】
制御部２０は、露光開始の遅延時間に合わせて、クラッチＣＹを締結してから、０．５秒後にクラッチＣＭを締結し、１．０秒後にクラッチＣＣを締結し、１．５秒後にクラッチＣＫを締結する。
【０１２４】
制御部２０は、クラッチＣＹ、ＣＭ、ＣＣ、ＣＫの締結の遅延時間に合わせて、剤担持体絶縁リレーＳＹを閉じてから、０．５秒後に剤担持体絶縁リレーＳＭを閉じ、１．０秒後に剤担持体絶縁リレーＳＣを閉じ、１．５秒後に剤担持体絶縁リレーＳＫを閉じる。
【０１２５】
また、画像形成部Ｐ１が露光を停止してから、０．５秒後に画像形成部Ｐ２が露光を停止し、１．０秒後に画像形成部Ｐ３が露光を停止し、１．５秒後に画像形成部Ｐ４が露光を停止する。
【０１２６】
制御部２０は、露光停止の遅延時間に合わせて、クラッチＣＹを解除してから、０．５秒後にクラッチＣＭを解除し、１．０秒後にクラッチＣＣを解除し、１．５秒後にクラッチＣＫを解除する。
【０１２７】
制御部２０は、クラッチＣＹ、ＣＭ、ＣＣ、ＣＫの解除の遅延時間に合わせて、剤担持体絶縁リレーＳＹを開いてから、０．５秒後に剤担持体絶縁リレーＳＭを開き、１．０秒後に剤担持体絶縁リレーＳＣを開き、１．５秒後に剤担持体絶縁リレーＳＫを開く。
【０１２８】
実施例２におけるこれ以外の構成及び制御については実施例１と同様であるので、図８に示す構成に図３と共通の符号を付して重複する説明を省略する。前回転動作開始と後回転終了は４色同時である。
【０１２９】
＜実施例３＞
図１０は実施例３の現像高圧電源回路を模式的に示した説明図である。
【０１３０】
実施例１は、スイッチング素子として剤担持体絶縁リレーを用いて、現像剤担持体を電気的に接地電位から切り離した。これに対して実施例２は、定電流制御された直流電圧を出力して接地電位から絶縁された現像剤担持体に印加する定電流回路を設けた。そして、像担持体が回転して現像剤担持体が停止しているときに、定電流回路の定電流が０Ａに設定される。これにより、高耐圧のスイッチング素子を必要とすることなく、トナーの転移を防ぐことができる。
【０１３１】
図１０に示すように、現像高圧電源回路ＤＹは、定電圧制御回路２８、直流高電圧発生部２２、交流波形発生回路２９、交流高電圧発生部２１を含む。これらについては図５を参照して説明したので、重複する説明を省略する。
【０１３２】
電流検出部３６は、現像高圧電源回路ＤＹに現像剤担持体１２Ｙから直流高電圧発生部２２を通じて接地電位に流れる電流を検知する。
【０１３３】
定電流制御回路３７は、電流検出部３６が検知する電流が０Ａとなるように、直流高電圧発生部２２のトランスの一次側に出力する交流電圧をＯＮ／ＯＦＦする。
【０１３４】
直流高電圧発生部２２は、現像動作に必要な電圧発生能力だけでなく、感光ドラム１１Ｙの帯電電位に摩擦帯電による発生電位を加えた１０００Ｖ程度の電圧発生能力を備えている。
【０１３５】
制御回路切り替え器２８は、現像高圧電源回路ＤＹを現像剤担持体１２Ｙの回転時に適用される定電圧制御と、現像剤担持体１２Ｙの待機時に適用される定電流制御とに切り替える。
【０１３６】
制御部２０は、図５の剤担持体絶縁リレーＳＹを開閉する代わりに、クラッチＣＹと同期して制御回路切り替え器３８を切り替える動作を行う。
【０１３７】
図２を参照して図１０に示すように、感光ドラム１１Ｙが回転中で現像剤担持体１２Ｙが停止している時、制御部２０は、制御回路切り替え器３８を定電流制御回路３７側に切り替え、同時に、交流高電圧発生部２１の出力を止める。
【０１３８】
定電流制御回路３７は、電流検出部３６を流れる電流が０Ａになるように、直流高電圧発生部２２の出力電圧を制御する回路である。定電流動作により、現像剤担持体１２Ｙと接地電位との間には電流が流れなくなり、擬似的な絶縁状態となる。
【０１３９】
画像形成時については、実施例１とほとんど同等である。制御部２０は、感光ドラム１１Ｙの回転開始前に制御回路切り替え器３８を定電流制御回路３７側に切り替えてから、感光ドラム１１Ｙの回転を開始する。
【０１４０】
制御部２０は、現像剤担持体１２Ｙの回転を開始する際は、クラッチＣＹを締結すると同時に、制御回路切り替え器３８を定電圧制御回路２８側に切り替え、さらに交流高電圧発生部２１の出力も開始する。
【０１４１】
制御部２０は、現像動作終了後、現像剤担持体１２Ｙを停止する際は、制御回路切り替え器３８を定電流制御回路３７側に切り替え、交流高電圧発生部２２の出力を停止し、クラッチＣＹを切って現像剤担持体１２Ｙの回転を止める。
【０１４２】
制御部２０は、その後、後回転動作を行い、感光ドラム１１Ｙが停止したら、現像高圧電源ＤＹの動作を停止する。
【０１４３】
実施例３では、定電流制御回路３７を設けたので、高周波数の高電圧に耐えるようなスイッチング素子は不要になる。
【図面の簡単な説明】
【０１４４】
【図１】第１実施形態の画像形成装置の構成の説明図である。
【図２】画像形成部の構成の説明図である。
【図３】画像形成装置の駆動機構の説明図である。
【図４】現像剤担持体にトナーが付着する現象の説明図である。
【図５】実施例１の現像高圧電源回路を模式的に示した説明図である。
【図６】フルカラーモードにおける剤担持体絶縁リレー及びクラッチの制御のタイムチャートである。
【図７】ブラック単色モードにおける剤担持体絶縁リレー及びクラッチの制御のタイムチャートである。
【図８】実施例２における駆動機構の説明図である。
【図９】実施例２のフルカラーモードにおける剤担持体絶縁リレー及びクラッチの制御のタイムチャートである。
【図１０】実施例３の現像高圧電源回路を模式的に示した説明図である。
【符号の説明】
【０１４５】
４  中間転写体（中間転写ベルト）
６  露光装置
１１Ｙ、１１Ｍ、１１Ｃ、１１Ｋ  像担持体（感光ドラム）
１２Ｙ、１２Ｍ、１２Ｃ、１２Ｋ  現像剤担持体
１３Ｙ  搬送スクリュー
１４Ｙ  攪拌スクリュー
１５Ｙ  現像容器
１６Ｙ  帯電装置（帯電ローラ）
２０、ＣＹ、ＣＭ、ＣＣ、ＣＫ  制御手段（制御部、クラッチ）
２０、ＳＹ、ＳＭ、ＳＣ、ＳＫ  電流制限手段（制御部、剤担持体絶縁リレー）
２１  交流高電圧発生部
２２  直流高電圧発生部
２８  定電圧制御回路
２９  交流波形発生回路
３７  定電流回路（定電流制御回路）
ＳＹ、ＳＭ、ＳＣ、ＳＫ  スイッチング素子（剤担持体絶縁リレー）
ＤＹ、ＤＭ、ＤＣ、ＤＫ  電源手段（現像高圧電源回路）
Ｍ１、Ｍ２  モータ
Ｐ１、Ｐ２、Ｐ３、Ｐ４  現像装置（プロセスカートリッジ、画像形成部）
【図１】
2009151096.tif 000003
【図２】
2009151096.tif 000004
【図３】
2009151096.tif 000005
【図４】
2009151096.tif 000006
【図５】
2009151096.tif 000007
【図６】
2009151096.tif 000008
【図７】
2009151096.tif 000009
【図８】
2009151096.tif 000010
【図９】
2009151096.tif 000011
【図１０】
2009151096.tif 000012